(57)【要約】  本発明は、掃除機のノズルに関するものである。  一側面に係る掃除機のノズルは、内部にチャンバが形成され、前方が開口されるハウジング；前記チャンバに収容されて少なくとも一部分が前記開口を介して露出し、回転動作によって床面を清掃する回転清掃部；前記チャンバに備えられて前記チャンバを二つの領域に区画し、少なくとも一部分が前記回転清掃部と接触する区画部材；前記回転清掃部の内部に挿入されて前記回転清掃部を回転させる駆動部；および前記ハウジングに連結され、前記開口を介して流入する空気を掃除機のダストボックスに伝達する連結配管を含み、前記チャンバには、前記回転清掃部の下側に形成される下部流路と、前記回転清掃部の上側に形成される上部流路とが備えられ、前記区画部材の一部が陥没して前記上部流路を形成する。  【選択図】  図２
2019521810.tif 000002
【特許請求の範囲】
【請求項１】
掃除機のノズルであって、
内部にチャンバが形成され、前方が開口されるハウジング；
前記チャンバに収容されて少なくとも一部分が前記開口を介して露出し、回転動作によって床面を清掃する回転清掃部；
前記チャンバに備えられて前記チャンバを二つの領域に区画し、少なくとも一部分が前記回転清掃部と接触する区画部材；
前記回転清掃部の内部に挿入されて前記回転清掃部を回転させる駆動部；及び
前記ハウジングに連結され、前記開口を介して流入する空気を掃除機のダストボックスに伝達する連結配管を備えてなり、
前記チャンバには、前記回転清掃部の下側に形成される下部流路と、前記回転清掃部の上側に形成される上部流路とが備えられ、
前記区画部材の一部が陥没して前記上部流路を形成する、掃除機のノズル。
【請求項２】
前記区画部材は、前記回転清掃部と少なくとも一部分が接触する第１延長壁及び第２延長壁を備え、
前記第２延長壁は、前記第１延長壁の上方に備えられる、請求項１に記載の掃除機のノズル。
【請求項３】
前記区画部材は、前記チャンバを前記回転清掃部が備えられる第１領域と、前記連結配管と連通する内部配管が備えられる第２領域に区画し、
前記第１延長壁と前記第２延長壁は前記第１領域に配置される、請求項２に記載の掃除機のノズル。
【請求項４】
前記第１延長壁には、前記回転清掃部と接する面の一部が陥没して形成される下部溝部が備えられ、
前記第２延長壁には、前記回転清掃部と接する面の一部が陥没して形成される上部溝部が備えられ、
前記下部溝部と前記上部溝部が互いに連結されて前記上部流路を形成する、請求項１に記載の掃除機のノズル。
【請求項５】
前記区画部材は、前記チャンバから下方に延びて形成され、前記第１延長壁を支持する第３延長壁を更に備えてなる、請求項１に記載の掃除機のノズル。
【請求項６】
前記上部流路は、一対に備えられ、前記回転清掃部の両側部にそれぞれ備えられる、請求項１に記載の掃除機のノズル。
【請求項７】
前記上部流路は、前記駆動部を囲むように配置される、請求項１に記載の掃除機のノズル。
【請求項８】
前記ハウジングの底面には、移動のための前方輪及び前記前方輪の後方に備えられる後方輪を備え、
前記連結配管には、前記ハウジングに回転可能に連結されるヒンジ部が備えられ、
前記ヒンジ部は、前記前方輪と前記後方輪との間に配置される、請求項１に記載の掃除機のノズル。
【請求項９】
前記ヒンジ部は、前記連結配管の中心軸の上方に配置される、請求項８に記載の掃除機のノズル。
【請求項１０】
前記ハウジングには、前記前方開口を介して流入する空気が移動する内部配管が備えられる、請求項１に記載の掃除機のノズル。
【請求項１１】
前記連結配管と前記内部配管を連結する補助ホースを更に備えてなる、請求項１０に記載の掃除機のノズル。
【請求項１２】
前記ハウジングは、
前記前方開口が形成されて前記回転清掃部を収容する本体部；
一側は前記本体部と結合し、他側は前記連結配管と結合する連結部材を備え、
前記連結部材には、前記連結配管と回転可能に結合するためのヒンジ部が備えられる、請求項１に記載の掃除機のノズル。
【請求項１３】
前記連結部材は、前記ヒンジ部が備えられる第１連結部と、前記本体部に固定される第２連結部とを備え、
前記第１連結部は、前記第２連結部に長手方向軸を中心に回転可能なように連結される、請求項１２に記載の掃除機のノズル。
【請求項１４】
前記ハウジングは、前記本体部の下側に備えられる支持部材を更に備え、
前記支持部材に前方輪及び後方輪が前後に離隔して配置される、請求項１２に記載の掃除機のノズル。
【請求項１５】
前記ハウジングは、前記本体部の後方に延びる延長部を更に備え、
前記延長部には、前記後方輪が備えられる、請求項１４に記載の掃除機のノズル。
【請求項１６】
前記後方輪の回転軸は、前記連結配管の回転中心より後方に位置される、請求項１２に記載の掃除機のノズル。
【発明の詳細な説明】
【技術分野】
【０００１】
本発明は、掃除機のノズルに関する。
【背景技術】
【０００２】
一般的に真空掃除機は、掃除機本体内部に装着される吸入モータによって発生する吸入力を用いて、埃が含まれた空気を吸入した後、埃分離装置で埃をフィルタリングする装置である。このような真空掃除機は、埃を吸入するための吸入ノズルが本体とは別に備えられて連結装置によって連結されるキャニスター型掃除機と、吸入ノズルが本体と回転可能に連結されるアップライト型掃除機と、使用者が本体を手で把持した状態で使用されるハンディ型掃除機とに区分することができる。
【０００３】
従来の真空掃除機の吸入ノズルには、刷毛が付着した回転ブラシであるアジテーター（ａｇｉｔａｔｏｒ）が設けられ、前記アジテーターが回転して床面またはカーペットの中の埃を掻きながら清掃ができる。
【０００４】
先行文献である大韓民国公開特許公報第１０−２０１４−０１２３０９１号には真空掃除機用掃除機ヘッドが開示されている。
【０００５】
先行文献の掃除機ヘッドは、チャンバ内に備えられるブラシバーと、ブラシバーを駆動するためのモータを含む。前記モータはブラシバーを回転させ、ブラシバーが回転する過程でブラシバーが被清掃面を打撃する。前記モータはブラシバーの内部に挿入される。
【０００６】
一方、先行文献の掃除機ヘッドは、ブラシバー（回転清掃部）が回転する過程で髪の毛や糸がブラシバーに巻かれる（ｔａｎｇｌｅ）現象が発生する可能性があり、これに従ってブラシバーの機能が低下するという短所がある。また、先行文献の掃除機ヘッドは、モータがブラシバーの内部に挿入される構造であるので、モータの冷却に不利であるという短所がある。
【発明の概要】
【発明が解決しようとする課題】
【０００７】
本発明の目的は、回転清掃部に髪の毛または糸などが巻かれる現象を防止し、回転清掃部の内部に収容されるモータの冷却効率を向上させることができる掃除機のノズルを提供することである。
【課題を解決するための手段】
【０００８】
一側面による掃除機のノズルは、内部にチャンバが形成され、前方が開口されるハウジング；前記チャンバに収容されて少なくとも一部分が前記開口を介して露出し、回転動作によって床面を清掃する回転清掃部；前記チャンバに備えられて前記チャンバを二つの領域に区画し、少なくとも一部分が前記回転清掃部と接触する区画部材；前記回転清掃部の内部に挿入されて前記回転清掃部を回転させる駆動部；および前記ハウジングに連結され、前記開口を介して流入する空気を掃除機のダストボックスに伝達する連結配管を含み、前記チャンバには、前記回転清掃部の下側に形成される下部流路と、前記回転清掃部の上側に形成される上部流路とが備えられ、前記区画部材の一部が陥没して前記上部流路を形成する。
【発明の効果】
【０００９】
本発明によると、ノズルハウジングの内部チャンバに回転清掃部と接触する複数の延長壁が備えられることによって回転清掃部に溜まった埃を払い落とすことができ、回転清掃部に髪の毛または糸などが巻かれる現象を防止することができる。
【００１０】
また、本発明の吸入ノズルは、延長壁に回転清掃部の上側に形成される上部流路が備えられることによって回転清掃部内部に収容された駆動部を効果的に冷却することができる。
【００１１】
また、本発明の吸入ノズルは、ハウジングと掃除機本体を連結する連結配管がハウジングとヒンジ連結されることによって使用者が清掃を円滑に行うことができ、前記ヒンジは、吸入ノズルの前方輪と後方輪との間に備えられることによって清掃中に吸入ノズルが転覆する現象が防止され得る。
【図面の簡単な説明】
【００１２】
【図１】本発明の一実施例に係る真空掃除機の斜視図である。
【図２】図１の吸入ノズルの斜視図である。
【図３】図２の吸入ノズルの平面図である。
【図４】図１の吸入ノズルの側面図である。
【図５】図１の吸入ノズルの正面図である。
【図６】図５の吸入ノズルから回転清掃部が脱去された様子を示す図である。
【図７】図１の吸入ノズルの底面図である。
【図８】図１の吸入ノズルの分解斜視図である。
【図９】ハウジングの分解斜視図である。
【図１０】図７のＩ−Ｉ’に沿って切開した吸入ノズルの断面図である。
【図１１】図７のＩＩ−ＩＩ’に沿って切開した断面図である。
【図１２】吸入ノズルの第１側面カバーが除去された様子を示す図である。
【図１３】駆動ユニットの分解斜視図である。
【図１４】回転清掃部の回転軸に沿って切開した断面図である。
【発明を実施するための形態】
【００１３】
図１は、本発明の一実施例に係る真空掃除機の斜視図である。
【００１４】
図１を参照すると、本発明の一実施例に係る真空掃除機１は、吸入力を発生させるための吸入モータ（図示せず）を備える掃除機本体１０と、埃が含まれた空気を吸入する吸入ノズル１００および前記掃除機本体１０と前記吸入ノズル１００を連結する延長管１７を含むことができる。
【００１５】
一方、示されていないが、前記吸入ノズル１００は前記延長管１７がなくても前記掃除機本体１０に直接連結され得る。
【００１６】
前記掃除機本体１０は、空気から分離された埃が貯蔵されるダストボックス１２を含むことができる。示されていないが、前記掃除機本体１０の内部には埃分離部が備えられる。
【００１７】
これに伴って、前記吸入ノズル１００を介して流入する埃は、前記延長管１７を介して前記埃分離部に流動する。そして、前記埃分離部で分離された埃は、前記ダストボックス１２に貯蔵され得る。
【００１８】
前記掃除機本体１０には、使用者が把持するための取っ手１３が備えられ得る。使用者は、前記取っ手１３を把持した状態で清掃を行うことができる。
【００１９】
前記掃除機本体１０にはバッテリー（図示せず）が備えられ、前記掃除機本体１０には、前記バッテリー（図示せず）が収容されるバッテリー収容部１５が備えられ得る。前記バッテリー収容部１５は、前記取っ手１３の下部に備えられ得る。前記バッテリー（図示せず）は、前記吸入ノズル１００と連結されて前記吸入ノズル１００に電源を供給することができる。
【００２０】
以下では、前記吸入ノズル１００について詳細に説明する。
【００２１】
図２は、図１の吸入ノズルの斜視図であり、図３は、図２の吸入ノズルの平面図であり、図４は、図１の吸入ノズルの側面図であり、図５は、図１の吸入ノズルの正面図であり、図６は、図５の吸入ノズルから回転清掃部が脱去された様子を示す図である。
【００２２】
図７は、図１の吸入ノズルの底面図であり、図８は、図１の吸入ノズルの分解斜視図であり、図９は、ハウジングの分解斜視図であり、図１０は、図７のＩ−Ｉ’に沿って切開した吸入ノズルの断面図であり、図１１は、図７のＩＩ−ＩＩ’に沿って切開した断面図である。
【００２３】
図２ないし図１１を参照すると、前記吸入ノズル１００は、ハウジング１１０、連結配管１２０および回転清掃部１３０を含む。
【００２４】
前記ハウジング１１０は、内部にチャンバ１１２が形成される本体部１１１を含む。前記本体部１１１には、汚染物質が含まれた空気を吸入するための前方開口１１１ａが形成され得る。前記掃除機本体１０で発生する吸入力によって前記前方開口１１１ａを介して流入する空気は、前記チャンバ１１２を経て前記連結配管１２０に移動することができる。
【００２５】
前記前方開口１１１ａは、前記ハウジング１１０の左右方向に延びて形成され、前記ハウジング１１０の底面部だけでなく前記ハウジング１１０の前方部まで延びて形成され得る。これに伴って、吸入面積が十分に確保できるので床面から壁面に隣接した部分まで均一に清掃することができる。
【００２６】
前記ハウジング１１０は、前記前方開口１１１ａと連通する内部配管１１１２をさらに含むことができる。前記掃除機本体１０で発生した吸入力によって、外部の空気は、前記前方開口１１１ａを経て前記内部配管１１１２の内部流路１１１２ａに移動することができる。
【００２７】
前記ハウジング１１０は、前記回転清掃部１３０を回転させるための動力を提供する駆動部１４０をさらに含むことができる。前記駆動部１４０は、前記回転清掃部１３０の一側に挿入されて前記回転清掃部１３０に動力を伝達することができる。前記駆動部１４０については図１２以下で詳細に説明する。
【００２８】
前記本体部１１１のチャンバ１１２には、前記回転清掃部１３０が収容され得る。前記回転清掃部１３０の少なくとも一部分は、前記前方開口１１１ａを介して外部に露出することができる。前記回転清掃部１３０は、前記駆動部１４０を介して伝達される駆動力によって回転して床面と摩擦することによって汚染物質を払い落とすことができる。また、前記回転清掃部１３０の外周面は、絨と同じ織物またはフェルト（ｆｅｌｔ）材質からなることができる。これに伴って、前記回転清掃部１３０の回転時に床面に溜まった埃などの異物が前記回転清掃部１３０によって効果的に除去され得る。
【００２９】
前記本体部１１１は、前記回転清掃部１３０上側の少なくとも一部をカバーすることができる。また、前記本体部１１１の内周面は、前記回転清掃部１３０の外周面形状に対応するように湾曲した形状に成されることができる。これに伴って、前記本体部１１１は、前記回転清掃部１３０が回転して床面で払い落とした異物が上昇することを防ぐ機能を行うことができる。
【００３０】
前記ハウジング１１０は、前記チャンバ１１２の両側面をカバーする側面カバー１１５、１１６をさらに含むことができる。前記の側面カバー１１５、１１６は、前記回転清掃部１３０の両側面に位置し得る。
【００３１】
前記の側面カバー１１５、１１６は、前記回転清掃部１３０の一側に備えられる第１側面カバー１１５および前記回転清掃部１３０の他側に備えられる第２側面カバー１１６を含む。前記第１側面カバー１１５には前記駆動部１４０が固定され得る。
【００３２】
前記吸入ノズル１００は、前記第２側面カバー１１６に備えられて前記回転清掃部１３０を回転可能に支持するための回転支持部１５０をさらに含む。前記回転支持部１５０は、前記回転清掃部１３０の他側に挿入されて前記回転清掃部１３０を回転可能に支持することができる。
【００３３】
前記回清掃部１３０は、図１０の断面図を基準とするとき、反時計方向に回転することができる。すなわち、前記回転清掃部１３０は、床面との接触点で異物を前記内部配管１１１２方向に押し出すように回転する。したがって、前記回転清掃部１３０が床面で払い落とした異物は前記内部配管１１１２側に移動し、吸入力によって前記内部配管１１１２に吸入される。前記回転清掃部１３０が床面との接触点を基準に後方に回転することによって清掃効率が向上し得る。
【００３４】
前記チャンバ１１２には、区画部材１６０が備えられ得る。前記区画部材１６０は、前記ハウジング１１０のチャンバ１１２の上側から下側に延びて形成され得る。
【００３５】
前記区画部材１６０は、前記回転清掃部１３０と前記内部配管１１１２との間に備えられ得る。これに伴って、前記区画部材１６０は、前記ハウジング１１０のチャンバ１１２を前記回転清掃部１３０が備えられる第１領域１１２ａと前記内部配管１１１２が備えられる第２領域１１２ｂに区画することができる。図１０に示されたように、前記第１領域１１２ａは前記チャンバ１１２の前方部に備えられ、前記第２領域１１２ｂは前記チャンバ１１２の後方部に備えられ得る。
【００３６】
前記区画部材１６０は、第１延長壁１６１を含むことができる。前記第１延長壁１６１は、前記回転清掃部１３０と少なくとも一部分と接触するように延びることができる。したがって、前記回転清掃部１３０が回転すると、前記第１延長壁１６１は、前記回転清掃部１３０と摩擦して前記回転清掃部１３０に付着した異物を除去することができる。
【００３７】
また、前記第１延長壁１６１は、前記回転清掃部１３０の回転軸に沿って延びることができる。すなわち、前記第１延長壁１６１と前記回転清掃部１３０との間の接触地点は、前記回転清掃部１３０の回転軸方向に沿って延びることができる。したがって、前記第１延長壁１６１は、前記回転清掃部１３０に付着した異物を払い落とすだけでなく、床面の異物が前記チャンバ１１２の第１領域１１２ａに流入することを遮断することができる。異物が前記チャンバ１１２の第１領域１１２ａに流入することを遮断することによって、前記回転清掃部１３０の回転によって異物が前記前方開口１１１ａを介して前記ハウジング１１０の前方に排出される現象を防止することができる。
【００３８】
それだけでなく、前記第１延長壁１６１は、前記回転清掃部１３０に付着した髪の毛や糸などが前記チャンバ１１２の第１領域１１２ａに流入することを遮断することによって、前記回転清掃部１３０に髪の毛や糸などが巻かれる現象を防止することができる。すなわち、前記第１延長壁１６１は、巻かれ防止（ａｎｔｉ−ｔａｎｇｌｅ）機能を行うことができる。
【００３９】
前記区画部材１６０は、第２延長壁１６５をさらに含むことができる。前記第２延長壁１６５は、前記第１延長壁１６１と同様に前記回転清掃部１３０と少なくとも一部分が接触するように延びることができる。したがって、前記回転清掃部１３０が回転すると、前記第２延長壁１６５は、前記第１延長壁１６１のように前記回転清掃部１３０と摩擦して前記回転清掃部１３０に付着した異物を除去することができる。
【００４０】
一方、前記第２延長壁１６５は、前記第１延長壁１６１と同じ機能を有する構成であり、前記第２延長壁１６１なしに前記第１延長壁１６１だけでも前記回転清掃部１３０に付着した異物を払い落とす機能を行うことができるので、前記第２延長壁１６５が前記ハウジング１１０の構成に含まれなくてもよい。
【００４１】
前記第２延長壁１６５は、前記第１延長壁１６１より高く配置され得る。したがって、前記第２延長壁１６５は、前記回転清掃部１３０で前記第１延長壁１６１により分離できなかった異物を２次的に分離する機能をすることができる。
【００４２】
以下では、前記ハウジング１１０内部での空気の流動について説明する。
【００４３】
前記吸入ノズル１００の本体部１１１には、外部の空気が前記本体部１１１の内部配管に移動する複数の吸入流路Ｆ１、Ｆ２、Ｆ３が形成される。
【００４４】
前記複数の吸入流路Ｆ１、Ｆ２、Ｆ３は、前記回転清掃部１３０の下側に形成される下部流路Ｆ１と前記回転清掃部１３０の上側に形成される上部流路Ｆ２、Ｆ３を含む。
【００４５】
前記下部流路Ｆ１は、前記回転清掃部１３０の下側に形成される。具体的に、前記下部流路Ｆ１は、前記前方開口１１１ａから前記回転清掃部１３０の下側および前記第２領域１１２ｂを経て前記内部流路１１１２ａに連結される。
【００４６】
前記上部流路Ｆ２、Ｆ３は、前記回転清掃部１３０の上側に形成される。具体的に、前記上部流路Ｆ２、Ｆ３は、前記第１領域１１２ａ内で前記回転清掃部１３０の上側および前記第２領域１１２ｂを経て前記内部流路１１１２ａに連結され得る。したがって、前記上部流路Ｆ２、Ｆ３は、前記第２領域１１２ｂで前記下部流路Ｆ１と合流することができる。
【００４７】
前記上部流路Ｆ２、Ｆ３は、前記ハウジング１１０の一側に形成される第１上部流路Ｆ２と前記ハウジング１１０の他側に形成される第２上部流路Ｆ３とを含む。具体的に、前記第１上部流路Ｆ２は、前記第１側面カバー１１５に隣接するように配置され、前記第２上部流路Ｆ３は、前記第２側面カバー１１６に隣接するように配置される。
【００４８】
前記第１上部流路Ｆ２を形成するために、前記第１延長壁１６１には第１下部溝部１６１ａが形成され得、前記第２延長壁１６５には第１上部溝部１６５ａが形成され得る。
【００４９】
前記第１下部溝部１６１ａは、前記第１延長壁１６１の内周面、すなわち前記回転清掃部１３０と接する面の一部が陥没して形成される。また、前記第１下部溝部１６１ａは、前記回転清掃部１３０の円周方向に沿って延びて形成され得る。
【００５０】
前記第１上部溝部１６５ａは、前記第２延長壁１６５の内周面、すなわち前記回転清掃部１３０と接する面の一部が陥没して形成される。また、前記第１上部溝部１６５ａは、前記回転清掃部１３０の円周方向に沿って延びて形成され得る。
【００５１】
前記第１下部溝部１６１ａは、前記第１上部溝部１６５ａと互いに連結され、前記第１下部溝部１６１ａと前記第１上部溝部１６５ａに沿って前記第１上部流路Ｆ２が形成される。一方、前記吸入ノズル１００に前記第２延長壁１６５が備えられない場合には、前記第１下部溝部１６１ａだけでも前記第１上部流路Ｆ２が形成され得る。
【００５２】
また、前記第１下部溝部１６１ａと前記第１上部溝部１６５ａは、前記駆動部１４０を囲むように配置され得る。これに伴って、前記第１上部流路Ｆ２が前記駆動部１４０の周りに沿って、前記駆動部１４０の少なくとも一部を囲むように配置され得、前記駆動部１４０は、前記第１上部流路Ｆ２に沿って流動する空気によって冷却され得る。
【００５３】
前記第１下部溝部１６１ａと前記第１上部溝部１６５ａの左右方向の幅Ａは、示されたように互いに同一であり得るが、このような特徴に制限されるものではない。前記第１下部溝部１６１ａと前記第１上部溝部１６５ａの左右方向の幅Ａは、所定の大きさで形成され得る。前記左右方向の幅Ａが小さい場合には、前記第１上部流路Ｆ２の幅が狭くなるため、空気の流動量が小さかったり空気の流動が遮断されることがあるので、前記駆動部１４０の冷却性能が低下し得る。その反対に、前記左右方向の幅Ａが大きい場合には、前記第１上部流路Ｆ２の幅が大きくなるため、空気の流動量が増加することができるが、前記第１延長壁１６１および前記第２延長壁１６５による前記回転清掃部１３０の髪の毛などの巻かれ防止（ａｎｔｉ−ｔａｎｇｌｅ）機能が低下し得る。したがって、前記左右方向の幅Ａは、適正な大きさに形成されるべきであり、前記駆動部の長さより小さい幅を有するように形成され得る。一例として、前記第１上部溝部１６５ａの左右方向の幅Ａは、５〜１０ｍｍに形成されるがこのような事項に制限されるものではない。
【００５４】
図１１に示されたように、前記第１上部流路Ｆ２で前記チャンバ１１２の内周面と前記回転清掃部１３０の上側部との間の離隔距離は、前記チャンバ１１２の内側に行くほど狭くなり得る。具体的に、前記チャンバ１１２の内周面と前記回転清掃部１３０の上側部との間の離隔距離は、前記前方開口１１１ａ側でｄ１であり、前記第１上部溝部１６５ａでｄ２であり、前記第１下部溝部１６１ａでｄ３に形成され得る。前記ｄ１からｄ３に行くほど小さい値を有する（ｄ１＞ｄ２＞ｄ３）。一例として、ｄ１は３ｍｍ、ｄ２は２．７ｍｍ、ｄ３は２ｍｍに形成され得る。このような特徴によって前記回転清掃部１３０の上側では、前記前方開口１１１ａに隣接するほど空気の流速が減少でき、これに伴って、前記回転清掃部１３０の回転によって異物が前方に排出される現象が抑制され得る。
【００５５】
次に、前記第２上部流路Ｆ３について説明する。前記第２上部流路Ｆ３を形成するために、前記第１延長壁１６１には第２下部溝部１６１ｂが形成され、前記第２延長壁１６５には第２上部溝部１６５ｂが形成される。
【００５６】
前記第２下部溝部１６１ｂは、前記第１延長壁１６１の内周面、すなわち前記回転清掃部１３０と接する面で前記第２側面カバー１１６に隣接した位置に形成される。前記第２下部溝部１６１ｂは、形成される位置において前記第１下部溝部１６１ａと差があり、残りの構成は実質的に同一である。
【００５７】
前記第２上部溝部１６５ｂは、前記第２延長壁１６５の内周面、すなわち前記回転清掃部１３０と接する面で前記第２側面カバー１１６に隣接した位置に形成される。前記第２上部溝部１６５ｂは、前記第２下部溝部１６１ｂと連結され、前記第２下部溝部１６１ｂと前記第２上部溝部１６５ｂに沿って前記第２上部流路Ｆ３が形成される。一方、前記吸入ノズル１００に前記第２延長壁１６５が備えられない場合には、前記第２下部溝部１６１ｂだけでも前記第２上部流路Ｆ３が形成され得る。
【００５８】
また、前記第２下部溝部１６１ｂと前記第２上部溝部１６５ｂは、前記回転支持部１５０を囲むように配置され得る。これに伴って、前記第２上部流路Ｆ３が前記回転支持部１５０の周りに沿って配置され得、前記回転支持部１５０は、前記第２上部流路Ｆ３に沿って流動する空気によって冷却され得る。
【００５９】
前記第２下部溝部１６１ｂと前記第２上部溝部１６５ｂの左右方向の幅Ａは、示されたように互いに同一であり得るが、このような特徴に制限されるものではない。前記第２下部溝部１６１ｂの左右方向の幅Ａと前記第２上部溝部１６５ｂの左右方向の幅Ａは、前記第１下部溝部１６１ａと前記第１上部溝部１６５ａの左右方向の幅Ａと同一に形成され得る。
【００６０】
前記第２上部流路Ｆ３で前記チャンバ１１２の内周面と前記回転清掃部１３０の上側部の間の離隔距離は、前記第１上部流路Ｆ２と同様に前記チャンバ１１２の内側に行くほど狭くなり得る。これについて具体的な説明は省略する。
【００６１】
前記区画部材１６０は、前記第１延長壁１６１と結合する第３延長壁１６３をさらに含むことができる。前記第１延長壁１６１の背面に結合されて前記第１延長壁１６１を支持することができる。前記第１延長壁１６１に前記第１下部溝部１６１ａおよび前記第２下部溝部１６１ｂが形成されることによって前記チャンバ１１２の第１領域１１２ａに前記第３延長壁１６３の一部が露出することができる。
【００６２】
このように、前記ハウジング１１０には、前記回転清掃部１３０の下側に備えられる下部流路Ｆ１だけでなく、前記回転清掃部１３０の上側に備えられる第１上部流路Ｆ２が備えられることによって前記駆動部１４０の冷却を効率的に行うことができ、前記第２上部流路Ｆ３が備えられることによって前記回転支持部１５０の冷却を効率的に行うことができる。
【００６３】
前記連結配管１２０は、前記ハウジング１１０と前記延長管１７（図１参照）を連結することができる。すなわち、前記連結配管１２０の一側は前記ハウジング１１０と連結され、前記連結配管１２０の他側は前記延長管１７と連結される。
【００６４】
前記連結配管１２０には、前記延長管１７との機構的な結合を操作するための着脱ボタン１２２が備えられ得る。使用者は、前記着脱ボタン１２２を操作することによって前記連結配管１２０と前記延長管１７を結合または分離することができる。
【００６５】
前記連結配管１２０は、前記ハウジング１１０に回転可能に連結され得る。具体的に、前記連結配管１２０は、前記第１連結部材１１３ａに上下方向に回転可能なようにヒンジ（ｈｉｎｇｅ）結合され得る。
【００６６】
前記ハウジング１１０には、前記連結配管１２０とヒンジ結合するための連結部材１１３ａ、１１３ｂが備えられ得る。前記連結部材１１３ａ、１１３ｂは、前記内部配管１１１２を囲むように形成され得る。前記連結部材１１３ａ、１１３ｂは、前記連結配管１２０と直接連結される第１連結部材１１３ａおよび第２連結部材１１３ｂを含むことができる。前記第２連結部材１１３ｂの一側は、前記第１連結部材１１３ａと結合して前記第２連結部材１１３ｂの他側は、前記本体部１１１と結合することができる。
【００６７】
図８に示されたように、前記第１連結部材１１３ａにはヒンジ孔１１４が備えられ、前記連結配管１２０には前記ヒンジ孔１１４に挿入されるヒンジ軸１２４が備えられ得る。ただし、示されたものとは違って、前記連結配管１２０にヒンジ孔が形成されて前記第１連結部材１１３ａにヒンジ軸が形成されてもよい。前記ヒンジ孔１１４と前記ヒンジ軸１２４を通称して「ヒンジ部」と称することができる。
【００６８】
前記ヒンジ軸１２４の中心１２４ａは、前記第１連結部材１１３ａの中心軸Ｃより上側に配置され得る。これに伴って、前記連結配管１２０の回転中心は、前記第１連結部材１１３ａの中心軸Ｃより上側に形成され得る。
【００６９】
前記第１連結部材１１３ａは、前記第２連結部材１１３ｂに回転可能に連結され得る。具体的に、前記第１連結部材１１３ａは、長手方向軸を基準に回転することができる。
【００７０】
前記吸入ノズル１００は、前記連結配管１２０と前記ハウジング１１０の内部配管１１１２とを連結する補助ホース１２３をさらに含むことができる。これに伴って、前記ハウジング１１０に吸入された空気は、前記補助ホース１２３、前記連結配管１２０および前記延長管１７（図１参照）を経て前記掃除機本体１０（図１参照）に移動することができる。
【００７１】
前記連結配管１２０の回動が可能なように、前記補助ホース１２３は柔軟な材質からなることができる。また、前記第１連結部材１１３ａは、前記補助ホース１２３を保護するために少なくとも一部分を囲む形状に形成され得る。
【００７２】
前記吸入ノズル１００は、清掃時移動のための前方輪１１７ａ、１１７ｂをさらに含むことができる。前記前方輪１１７ａ、１１７ｂは、前記ハウジング１１０の床面に回転可能に備えられ得る。また、前記前方輪１１７ａ、１１７ｂは、一対に備えられて前記前方開口１１１ａの後方に配置され得る。
【００７３】
前記吸入ノズル１００は、後方輪１１８をさらに含むことができる。前記後方輪１１８は、前記ハウジング１１０の底面に回転可能に備えられて前記前方輪１１７ａ、１１７ｂより後方に配置され得る。
【００７４】
前記ハウジング１１０は、前記本体部１１１の下側に備えられる支持部材１１９をさらに含むことができる。前記支持部材１１９は、前記本体部１１１を支持することができる。前記支持部材１１９には、前記前方輪１１７ａ、１１７ｂが回転可能に結合され得る。
【００７５】
前記支持部材１１９には、後方に延びる延長部１１９２が備えられ得る。前記延長部１１９２には、前記後方輪１１８が回転可能に結合され得る。また、前記延長部１１９２は、前記第１連結部材１１３ａおよび前記第２連結部材１１３ｂを下側から支持することができる。
【００７６】
前記後方輪１１８の回転軸１１８ａは、前記ヒンジ軸１２４の中心１２４ａより後方に配置され得る。これに伴って、前記ハウジング１１０の安定性が向上するので清掃中に前記ハウジング１１０の転覆が防止され得る。
【００７７】
以下では、前記駆動部１４０の細部構成について説明する。
【００７８】
図１２は、吸入ノズルの第１側面カバーが除去された様子を示す図であり、図１３は、駆動ユニットの分解斜視図であり、図１４は、回転清掃部の回転軸に沿って切開した断面図である。
【００７９】
図１２ないし図１４を参照すると、前記ハウジング１１０の本体部１１１には、前記回転清掃部１３０を回転させるための駆動部１４０が結合される。前記駆動部１４０の少なくとも一部は、前記回転清掃部１３０の一側に挿入され得る。
【００８０】
前記駆動部１４０は、駆動力を発生させるためのモータ１４３およびモータサポーター１４１を含む。前記モータ１４３は、ＢＬＤＣモータを含むことができる。前記モータ１４３の一側には、前記モータ１４３の制御のためのＰＣＢ（Ｐｒｉｎｔｅｄ  ｃｉｒｃｕｉｔ  ｂｏａｒｄ）１４３２が備えられ得る。
【００８１】
前記モータ１４３は、ボルトなどの締結部材によって前記モータサポーター１４１に結合され得る。前記モータ１４３には、前記モータサポーター１４１とボルト締結のための締結孔１４３４が形成され得る。
【００８２】
前記駆動部１４０は、前記モータ１４３の動力を伝達するためのギア部１４５をさらに含むことができる。
【００８３】
前記モータ１４３は、前記ギア部１４５の内側に挿入され得る。このために、前記ギア部１４５の内側には中空が形成され得る。前記ギア部１４５は、前記モータサポーター１４１にボルト結合され得、このために前記ギア部１４５の一側には締結孔１４５４が形成され得る。前記ギア部１４５と前記モータ１４３を前記モータサポーター１４１に締結して一体化することによって前記モータ１４３の動作時に振動の発生を低減させることができる。
【００８４】
前記モータサポーター１４１は、一例としてポリカーボネート（Ｐｏｌｙｃａｒｂｏｎａｔｅ）材質からなることができる。ポリカーボネート材質は、絶縁性および耐衝撃性が大きい特徴がある。したがって、前記モータサポーター１４１は、外部の衝撃に強く、外部で発生する静電気などが前記モータ１４３に伝達されることを低減させることができる。
【００８５】
また、前記モータサポーター１４１の内周面は、前記モータ１４３のＰＣＢ１４３２と離隔する。これに伴って、前記本体部１１１で発生した静電気が前記駆動部１４０側に伝達される場合にも、静電気が前記モータ１４３のＰＣＢ１４３２まで到達できなくて自然的に放電され得るので、前記モータ１４３のＰＣＢ１４３２を保護することができる。
【００８６】
また、前記モータサポーター１４１は、前記第１側面カバー１１５の内周面と離隔する。これに伴って、前記駆動部１４０を冷却させるための冷却流路を確保することができる。
【００８７】
前記駆動部１４０は、前記ギア部１４５を囲むカバー部１４７をさらに含むことができる。前記カバー部１４７は、前記ギア部１４５を保護する機能をする。
【００８８】
前記駆動部１４０は、前記ギア部１４５に連結されるシャフト１４８をさらに含み、前記シャフト１４８は前記回転清掃部１３０と連結される。前記シャフト１４８は、前記ギア部１４５を介して伝達される駆動力を前記回転清掃部１３０に伝達することができる。これに伴って、前記回転清掃部１３０が回転することができる。
【００８９】
前記駆動部１４０は、前記カバー部１４７に設けられるベアリング１４９をさらに含むことができる。前記ベアリング１４９は、前記シャフト１４８に連結されて前記シャフト１４８を一定位置に固定させ、前記シャフト１４８の自重と前記シャフト１４８にかかる荷重を支持して前記シャフト１４８を回転させることができる。これに伴って、前記シャフト１４８が円滑に回転することができる。
【００９０】
前記シャフト１４８には、前記回転清掃部１３０に固定される固定部材１４８２を含む。これに伴って、前記シャフト１４８は、前記回転清掃部１３０に固定されて共に回転することができる。したがって、前記シャフト１４８は、前記モータ１４３および前記ギア部１４５により伝達される駆動力を用いて前記回転清掃部１３０を回転させることができる。
【００９１】
本発明によると、ノズルハウジングの内部チャンバに回転清掃部と接触する複数の延長壁が備えられることによって回転清掃部に溜まった埃を払い落すことができ、回転清掃部に髪の毛または糸などが巻かれる現象を防止することができる。
【００９２】
また、本発明の吸入ノズルは、延長壁に回転清掃部の上側に形成される上部流路が備えられることによって回転清掃部内部に収容された駆動部を効果的に冷却することができる。
【００９３】
また、本発明の吸入ノズルは、ハウジングと掃除機本体を連結する連結配管がハウジングとヒンジ連結されることによって使用者が清掃を円滑に行うことができ、前記ヒンジは、吸入ノズルの前方輪と後方輪との間に備えられることによって清掃中に吸入ノズルが転覆する現象が防止され得る。
【図１】
2019521810.tif 000003
【図２】
2019521810.tif 000004
【図３】
2019521810.tif 000005
【図４】
2019521810.tif 000006
【図５】
2019521810.tif 000007
【図６】
2019521810.tif 000008
【図７】
2019521810.tif 000009
【図８】
2019521810.tif 000010
【図９】
2019521810.tif 000011
【図１０】
2019521810.tif 000012
【図１１】
2019521810.tif 000013
【図１２】
2019521810.tif 000014
【図１３】
2019521810.tif 000015
【図１４】
2019521810.tif 000016
【国際調査報告】
2019521810.tif 000017
2019521810.tif 000018
2019521810.tif 000019
2019521810.tif 000020